(57)【要約】【課題】ブローチ止め金具の支持片と基板等によって、ペンダント用の鎖を挿通する部分を設けた、コンパクトな、ブローチ兼用ペンダント止め金具を提供する。【解決手段】金属製基板１の裏面上の一端側の位置に、先端を他端側に略直角に折り曲げた細巾の支持片２を立設し、支持片２の先端部で、針状で後端部を略直角に折り曲げて形成した係止部３を上下方向に回転自在に係止部３の略直角部を軸支して設け、係止部３を金属製基板１と略平行に位置させてその先端部を受部で係止した際、係止部３の軸支部３ａから伸びた部位から成る閉鎖棒３ｂの下端は、金属製基板１上に当接又は近接し、支持片２と金属製基板１によって形成される空間４にペンダントの鎖５を通して係止部３を係止した際、係止部３の閉鎖棒３ｂによって空間４が閉じられてペンダントの鎖５がこの空間４から外れない構成とした。【選択図】図１
0003100110.tif 000002
【実用新案登録請求の範囲】
【請求項１】
ブローチ又はペンダントの本体を成す基板の裏面上の一端側の位置に、針状の係止部の一端を上下方向に回転自在に軸支し、当該基板の他端側の位置に上記係止部の先端を係止する受部を設け、衣服の一部に通した上記係止部を当該受部で係止して衣服に付けるブローチ兼用ペンダント止め金具において、
上記基板の裏面上の一端側の位置に、先端を他端側に略直角に折り曲げた細巾の支持片を立設し、当該支持片の先端部で、針状で後端部を略直角に折り曲げて形成した係止部を上下方向に回転自在に当該係止部の略直角部を軸支して設け、
当該係止部を上記基板と略平行に位置させてその先端部を上記受部で係止した際、上記係止部の軸支部から伸びた部位の下端は、上記基板上に当接又は近接し、上記支持片と基板によって形成される空間にペンダントの鎖を通して係止部を係止した際、上記係止部の軸支部から伸びた部位によって当該空間が閉じられてペンダントの鎖がこの空間から外れない構成としたことを特徴とした、ブローチ兼用ペンダント止め金具。
【考案の詳細な説明】
【０００１】
【考案の属する技術分野】
この考案は、ブローチとしても、またペンダントとしても使用出来る、ブローチ兼用ペンダント止め金具に関するものである。
【０００２】
【従来の技術】
従来、ブローチを衣服に付けたり、またペンダントを首から下げたりしておしゃれが楽しまれている。ブローチは、図４に示すように、普通ブローチ本体Ｂの裏面に固着されたブローチ止め金具Ｃを使って衣服に付けられるようになっており、この様なブローチ止め金具Ｃは、細長の金属製基板１１の裏面の一端に、針状の係止部１２の一端部を回動自在に軸支し、金属製基板１１の裏面の他端に、係止部１２の尖った他端部を止める受部１３を設けて形成されている。
【０００３】
この受部１３は、図５に示すように、一端側に山型の切り欠き部１３ａが入った円筒１３ｂの内側に、一端にフランジ部１４ａを設けた筒部１４を嵌め入れ、このフランジ部１４ａをつまんで、このフランジ部１４ａを移動させて（図５の矢印方向）、筒部１４を受部１３の円筒１３ｂから出し入れして、係止部１２の針状の先端部を筒部１４内に係止自在としている。
【０００４】
この様な中、ブローチをペンダントとして使用したいと思う場合もあり、その様な場合、ブローチ止め金具Ｃの針状の係止部１２にペンダント用の鎖を通して、首から下げて使用していた。
【０００５】
【考案が解決しようとする課題】
しかしながら、この様にブローチ止め金具Ｃの針状の係止部１２にペンダント用の鎖を通して、首から下げると、係止部１２や受部１３によって形成された空間が大きく、ペンダント用の鎖が移動し易く、下げられたブローチの位置が不安定でブローチの位置が逆さまになっていたりすることもあり、その様な場合、不恰好である。
またブローチ止め金具Ｃに別途、いわゆるバチ環やＤ環と呼ばれるものを取り付け、当該箇所にペンダント用の鎖を通す場合も有るが、ブローチ止め金具Ｃ全体が大きくなり、首から下げた際やはり不安定であり、当該バチ環やＤ環を新たに取り付けるのにその分手間も要していた。
【０００６】
この考案は、これらの点に鑑みて為されたもので、ブローチ止め金具の支持片と基板等によって、ペンダント用の鎖を挿通する部分を設けた、コンパクトな、ブローチ兼用ペンダント止め金具を提供するものである。
【０００７】
【課題を解決するための手段】
請求項１の考案は、ブローチ又はペンダントの本体を成す基板の裏面上の一端側の位置に、針状の係止部の一端を上下方向に回転自在に軸支し、当該基板の他端側の位置に上記係止部の先端を係止する受部を設け、衣服の一部に通した上記係止部を当該受部で係止して衣服に付けるブローチ兼用ペンダント止め金具において、上記基板の裏面上の一端側の位置に、先端を他端側に略直角に折り曲げた細巾の支持片を立設し、当該支持片の先端部で、針状で後端部を略直角に折り曲げて形成した係止部を上下方向に回転自在に当該係止部の略直角部を軸支して設け、当該係止部を上記基板と略平行に位置させてその先端部を上記受部で係止した際、上記係止部の軸支部から伸びた部位の下端は、上記基板上に当接又は近接し、上記支持片と基板によって形成される空間にペンダントの鎖を通して係止部を係止した際、上記係止部の軸支部から伸びた部位によって当該空間が閉じられてペンダントの鎖がこの空間から外れない構成としたブローチ兼用ペンダント止め金具とした。
【０００８】
【実施の形態】
以下この考案の実施の形態例を図に基づいて説明する。
図２は、この考案の実施の形態例のブローチ兼用ペンダント止め金具（以下「兼用止め金具」という）Ａの特徴とする部位を示す。この兼用止め金具Ａは、短冊状の金属製基板１の裏面上の長手方向の一端側の位置に、この金属製基板１の他端側にその先端を略直角に折り曲げた細巾の支持片２を立設している。
【０００９】
そしてこの支持片２の先端部において、先端が針状で後端部を略直角に折り曲げて形成した係止部３を、上下方向に回転自在に、この係止部３の略直角部を軸支して設けており、またこの係止部３の軸支部３ａから略直角に折り曲げて伸びた部位を後述する閉鎖棒３ｂとして設けている。
【００１０】
この係止部３を上記金属製基板１と略平行に位置させてその先端部を上記受部（従来例と同じ、図４及び図５参照）で係止した際、閉鎖棒３ｂは、その下端が上記金属製基板１上に当接又は近接するように設けられており、その結果この閉鎖棒３ｂは、上記略直角に折り曲げた細巾の支持片２と金属製基板１によって形成される空間４を閉鎖するように成っている。
【００１１】
そして、上記係止部３の自由端を受部から外し、図３に示すように、上記係止部３を上方に上げると閉鎖棒３ｂはこれに伴って回転し、上記略直角に折り曲げた支持片２と金属製基板１によって形成される空間４を開いて、この空間４内にペンダント用の環状に設けられた鎖５を通す。その後、図１に示すように、係止部３を下方に下げてその自由端を上記受部に係止すると、閉鎖棒３ｂは上記空間４を閉鎖するためペンダントの鎖５はこの空間４から外れないようになっている。
【００１２】
上記実施の形態例においては、兼用止め金具Ａの受部の構成として、従来技術の欄に記載したものを使用しているが、この受部の構成は、この発明の必須要件ではない。また金属製基板１を短冊状に設けているが、金属製基板１は、短冊状に限定するものではない。さらにこの発明は、止め金具に関するものであるが、基板１、支持片２等の材質は、金属に限定するものではなく、金属の他適宜の材料から成るものである。
【００１３】
【考案の効果】
請求項１の考案によれば、支持片及び基板等によって空間を形成して、ペンダント用の鎖を挿通する部分を設けたので、止め金具が必要以上に大きくならず、コンパクトに収められ、この箇所に通されたペンダント用の鎖は、いたずらに移動することがない。さらに一手間かけて、バチ環やＤ環などを設ける必要が無いので、これらの結果、ブローチの針を長く取ることが出来、衣服に通す係止部を大きく取れて、ブローチとして首から下げた際でも安定して用いることが出来る。ましてブローチの位置が逆さまになることは無く、安心しておしゃれを楽しむことが出来る。
【図面の簡単な説明】
【図１】この考案の実施の形態例の兼用止め金具にペンダント用の鎖を通した状態の一部説明図である。
【図２】この考案の実施の形態例の兼用止め金具の一部説明図である。
【図３】この考案の実施の形態例の兼用止め金具の針状の係止部を開放した状態の一部説明図である。
【図４】従来のブローチ止め金具を取り付けているブローチの説明図である。
【図５】従来のブローチ止め金具の針状の係止部の先端部を、受部において係止自在とした構成を示す説明図である。
【符号の説明】
Ａ　　ブローチ兼用ペンダント止め金具
１　　金属製基板
２　　略直角に折り曲げた細巾の支持片
３　　係止部
３ｂ　閉鎖棒
４　　支持片と金属製基板によって形成される空間
５　　ペンダント用の鎖
【図１】
0003100110.tif 000003
【図２】
0003100110.tif 000004
【図３】
0003100110.tif 000005
【図４】
0003100110.tif 000006
【図５】
0003100110.tif 000007
【手続補正書】
【提出日】平成15年10月15日(2003.10.15)
【手続補正１】
【補正対象書類名】明細書
【補正対象項目名】００１３
【補正方法】変更
【補正の内容】
【００１３】
【考案の効果】
請求項１の考案によれば、支持片及び基板等によって空間を形成して、ペンダント用の鎖を挿通する部分を設けたので、止め金具が必要以上に大きくならず、コンパクトに収められ、この箇所に通されたペンダント用の鎖は、いたずらに移動することがない。さらに一手間かけて、バチ環やＤ環などを設ける必要が無いので、これらの結果、ブローチの針を長く取ることが出来、衣服に通す係止部を大きく取れて、ペンダントとして首から下げた際でも安定して用いることが出来る。ましてペンダントの位置が逆さまになることは無く、安心しておしゃれを楽しむことが出来る。